(57)【要約】      （修正有）【課題】宅配用の送り状に記載されている個人情報を簡単に隠蔽して保護することのできる置き配用目隠しシールを提供する。【解決手段】宅配用の送り状Ｐの個人情報欄Ｐ１を目隠しするシール本体１を形成する。シール本体を送り状の個人情報欄全体を覆うサイズに形成する。シール本体の接着面に感圧接着剤２を配する。置き配される送り状の個人情報欄に貼着するように構成する。シール本体の表面に、伝言を記入するメモ欄を形成する。【選択図】図１
0003232843.tif 000002
【実用新案登録請求の範囲】
【請求項１】
宅配用の送り状の届け先の住所・氏名・電話番号、依頼主の住所・氏名・電話番号からなる個人情報が記載された個人情報欄を目隠しするシールであって、送り状の個人情報欄全体を覆うサイズに形成されたシール本体と、シール本体の接着面に配された感圧接着剤と、を備え、置き配される送り状の個人情報欄に貼着するように構成したことを特徴とする置き配用目隠しシール。
【請求項２】
前記シール本体の表面に、伝言を記入するメモ欄が形成された請求項１記載の置き配用目隠しシール。
【請求項３】
前記感圧接着剤は、前記接着面の全面又は一部に配された請求項１記載の置き配用目隠しシール。
【請求項４】
前記シール本体は、複数の前記シール本体が重なってブロック状に積層され、上部の前記シール本体を順次剥がして使用するように構成した請求項１又は２記載の置き配用目隠しシール。
【請求項５】
前記シール本体は、前記接着面に配された前記感圧接着剤を覆う剥離シートが設けられ、剥離シートを剥がして使用するように構成した請求項１又は２記載の置き配用目隠しシール。
【考案の詳細な説明】
【技術分野】
【０００１】
本考案は、宅配用の送り状に記載されている個人情報を隠蔽して保護することができる置き配用目隠しシールに関する。
【背景技術】
【０００２】
従来、宅配業者が使用する送り状に記載されている個人情報は、業者と利用者以外に知られる状況は少なかった。ところが、「置き配」と称する配達手段では、荷物をドアの近くに置くだけで配達が終了するため、送り状に記載されている個人情報が不特定多数の目にさらされるおそれが生じる。
【０００３】
これまで、手紙やはがきなどの情報を隠す隠蔽片を剥離可能に貼着して一部の情報を隠蔽可能とするものが種々提案されている。
【０００４】
たとえば、特許文献１に記載の往復隠蔽葉書は、往復葉書に関するもので、隠蔽された情報を有する状態で往信が行なえるとともに、返信に際しても返信葉書への書き込み情報を隠蔽して返信することができるように構成している。
【０００５】
また、特許文献２に記載の隠蔽シートもはがきの情報を隠蔽するも目的で構成されている。特に、このはがきは、はがき本体部と隠蔽片部が折り畳まれた隠蔽はがきと称する特殊なはがきで、はがき本体部と隠蔽片部とを折りたたむ際に、粘着層にて張り合わせる構造を成している。
【先行技術文献】
【特許文献】
【０００６】
【特許文献１】特開２００１-８８４７２号公報
【特許文献２】特許第６３１７１０１号公報
【考案の概要】
【考案が解決しようとする課題】
【０００７】
ところが、これら従来の往復隠蔽葉書や隠蔽シートは、いずれもはがきに記載されている一部の情報を隠蔽するように構成されているが、宅配用の送り状に記載されている個人情報を隠蔽して保護することのできる目隠しシールを提案したものはなかった。
【０００８】
すなわち、はがきの情報を隠蔽する作業は、はがきの提出者が情報を選択して隠蔽する作業になる。一方、置き配において、送り状の個人情報を隠蔽する作業は、宅配業者が行うことになる。そのため、置き配の個人情報を隠蔽するには、宅配業者が配送物と共に隠蔽用のシールを携帯し、配達終了時に送り状の個人情報をシールで隠蔽する作業になる。
【０００９】
そのため、送り状の個人情報を隠すシールは、隠蔽作業が容易に行えるものが望ましい。そうすると、隠蔽用のシールは、従来のはがき用の隠蔽シートに比べて大きく嵩張るサイズになるので、できるだけコンパクトに携帯できるものが望まれる。更に、隠蔽したシールは、置き配が届け先に届くまでしっかり貼り付く必要がある一方で、届け先では簡単にきれいに剥がすことができる構成が望まれる。
【００１０】
そこで本考案は、上述の課題を解消すべく案出されたもので、宅配用の送り状に記載されている個人情報を簡単に隠蔽して保護することのできる置き配用目隠しシールの提供を目的とするものである。
【課題を解決するための手段】
【００１１】
上述の目的を達成すべく本考案における第１の手段は、宅配用の送り状Ｐの届け先の住所・氏名・電話番号、依頼主の住所・氏名・電話番号からなる個人情報が記載された個人情報欄Ｐ１を目隠しするシールであって、送り状Ｐの個人情報欄Ｐ１全体を覆うサイズに形成されたシール本体１と、シール本体１の接着面に配された感圧接着剤２と、を備え、置き配される送り状Ｐの個人情報欄Ｐ１に貼着するように構成したことにある。
【００１２】
第２の手段は、前記シール本体１の表面に、伝言を記入するメモ欄３が形成されたものである。
【００１３】
第３の手段の前記感圧接着剤２は、前記接着面の全面又は一部に配されている。
【００１４】
第４の手段の前記シール本体１は、複数の前記シール本体１がブロック状に積層され、上部の前記シール本体１を順次剥がして使用するように構成した。
【００１５】
第５の手段の前記シール本体１は、前記接着面に配された前記感圧接着剤２を覆う剥離シート４が設けられ、剥離シート４を剥がして使用するように構成したものである。
【考案の効果】
【００１６】
本考案の請求項１によると、シール本体１は、送り状Ｐの個人情報欄Ｐ１全体を覆うサイズに形成されているので、従来の往復はがきのように情報を選択しながら貼り付ける必要がない。この結果、置き配の送り状Ｐの個人情報欄Ｐ１にシール本体１を貼着する際に、宅配業者による貼り付け作業が極めて容易になる。
【００１７】
請求項２のように、シール本体１の表面に、伝言を記入するメモ欄３が形成されることで、業者からの伝言などをメモ欄３に記載することが可能になる。
【００１８】
請求項３の如く、感圧接着剤２を接着面の全面又は一部に配することで、しっかりした接着力やきれいに剥がせる接着力を選択することが可能になる。
【００１９】
請求項４のように、シール本体１は、複数のシール本体１がブロック状に積層され、上部のシール本体１を順次剥がして使用するように構成することで、大量のシール本体１を嵩張らずに携帯することが可能になる。しかも、剥離シート４を使用しないので、使用後の廃棄物の発生を防止できる。
【００２０】
請求項５の如く、シール本体１は、接着面に配された感圧接着剤２を覆う剥離シート４が設けられ、剥離シート４を剥がして使用するように構成することで、少ない量のシール本体１を携帯するのに好適になる。したがって、例えば置き配する荷物に１枚のシール本体１をセットにして配送するような利用も可能になる。
【００２１】
このように本考案によると、宅配用の送り状に記載されている個人情報を簡単に隠蔽して保護することができるといった当初の目的を達成した。
【図面の簡単な説明】
【００２２】
【図１】本考案シール本体の使用状態を示す斜視図である。
【図２】本考案シール本体と送り状の平面図である。
【図３】本考案送り状にシール本体を貼着した状態を示す平面図である。
【図４】複数のシール本体をブロック状に積み重ねた状態を示す斜視図である。
【図５】（イ）〜（ハ）は、感圧接着剤の配置位置の例を示す平面図である。
【図６】感圧接着剤に剥離シートを貼着した状態を示す斜視図である。
【考案を実施するための形態】
【００２３】
以下、本考案の実施例を説明する。本考案シールは、宅配用の送り状に記載されている個人情報を隠蔽して保護する置き配用目隠しシールである（図１参照）。
【００２４】
宅配用の送り状Ｐに記載されている個人情報欄Ｐ１とは、届け先の住所・氏名・電話番号、依頼主の住所・氏名・電話番号が記載されており、これらの個人情報が記載された個人情報欄Ｐ１をシール本体１で目隠しする構成である（図２参照）。
【００２５】
シール本体１は、送り状Ｐの個人情報欄Ｐ１全体を一度に覆うサイズに形成されている（図３参照）。したがって、作業者は個々の個人情報を選択する必要はなく、個人情報欄Ｐ１全体を一度に簡単に覆うことができる。
【００２６】
シール本体１の接着面には、感圧接着剤２が配されている（図１、図５参照）。そして、この感圧接着剤２で置き配される送り状Ｐの個人情報欄Ｐ１にシール本体１を貼着する構成である。したがって、シール本体１の接着面全体に感圧接着剤２を施すと最も強力な貼着力が得られる。また、接着面の一部を選択して感圧接着剤２を施すことで、貼着力や剥離時の使い勝手を選択することができる。
【００２７】
図５（イ）〜（ハ）は、接着面の一部を選択して感圧接着剤２を施した状態を示している。同図（イ）は、接着面の片側側縁に沿って感圧接着剤２を施している。同図（ロ）は、接着面の対向する両側縁に沿って感圧接着剤２を施した状態である。同図（ハ）は、接着面の周囲縁に沿って感圧接着剤２を施した状態を示している。このように、接着面の一部を選択して感圧接着剤２を施すことで、任意の貼着力や使い勝手を選択することが可能になる。
【００２８】
シール本体１の表面（接着面を裏面とする）には、伝言を記入するメモ欄３を形成している（図３参照）。このメモ欄３は、例えば配送業者が置き配をする際に、送り先に連絡するメモなどを記載することが可能になる。
【００２９】
配送業者がシール本体１を携帯する際に、効率良く多くのシール本体１を携帯するには、複数の前記シール本体１がブロック状に積層した状態が有効である（図４参照）。この場合、最上部のシール本体１を順次剥がして使用する。このようにブロック状に積み重ねることで、多数のシール本体１を付箋紙の束のように携帯することが可能になる。
【００３０】
一方、シール本体１を個別に携帯するには、シール本体１の接着面に感圧接着剤２を覆う剥離シート４を設けることで、単体での携帯が容易になる（図６参照）。この場合のシール本体１は、剥離シート４を剥がして使用するものである。このとき、図５（ロ）に示すように、感圧接着剤２を分散して施している場合でも、１枚の剥離シート４で全ての感圧接着剤２を覆うことで、剥離作業が容易になる。
【００３１】
尚、本考案のシール本体１や感圧接着剤２の形状やサイズ、材質等は実施例に限定されるものではなく、本考案の要旨を変更しない範囲において自由に変更できるものである。
【符号の説明】
【００３２】
Ｐ  送り状
Ｐ１  個人情報欄
１  シール本体
２  感圧接着剤
３  メモ欄
４  剥離シート
【図１】
0003232843.tif 000003
【図２】
0003232843.tif 000004
【図３】
0003232843.tif 000005
【図４】
0003232843.tif 000006
【図５】
0003232843.tif 000007
【図６】
0003232843.tif 000008